(57)【特許請求の範囲】
【請求項１】
天井スラブの下側に下方に膨出して設置された漏水養生シートと、当該漏水養生シートの底部に接続され、漏水養生シート上の漏水を排水する排水管と、当該排水管内の上端部にランダムに複数に折り曲げて設置され、前記排水管内を流れる漏水を検知する漏水センサーと、前記漏水センサーに接続され、当該漏水センサーを介して天井の漏水の有無を検知する漏水検知器と、前記漏水センサーおよび前記漏水検知器を監視する監視装置とを備え、かつ天井の漏水を常時監視し、漏水が発生したときは、無線中継機によって管理センターまたは現地担当監視者の携帯電話にメールまたは音声にて知らしめるように構成されていることを特徴とする天井の漏水検知装置。
【請求項２】
天井スラブの下側に下方に膨出して設置された漏水養生シートと、当該漏水養生シートの底部に接続され、漏水養生シート上の漏水を排水する排水管と、当該排水管内の上端部に排水管の内周に沿ってスパイラル状に設置され、前記排水管内を流れる漏水を検知する漏水センサーと、前記漏水センサーに接続され、当該漏水センサーを介して天井の漏水の有無を検知する漏水検知器と、前記漏水センサーおよび前記漏水検知器を監視する監視装置とを備え、かつ天井の漏水を常時監視し、漏水が発生したときは、無線中継機によって管理センターまたは現地担当監視者の携帯電話にメールまたは音声にて知らしめるように構成されていることを特徴とする天井の漏水検知装置。
【請求項３】
請求項１記載の漏水検知装置において、漏水センサーは、非接触状態に近接して並設された一対の導電性芯線と、当該導電性芯線を一体的に被覆するメッシュ状の絶縁性被覆材より形成されていることを特徴とする天井の漏水検知装置。
【請求項４】
請求項２記載の漏水検知装置において、漏水センサーは、非接触状態に近接して並設された一対の導電性芯線と、当該導電性芯線を一体的に被覆するメッシュ状の絶縁性被覆材より形成されていることを特徴とする天井の漏水検知装置。
【発明の詳細な説明】
【技術分野】
【０００１】
本発明は、居室天井の漏水を検知する天井の漏水検知装置に関し、天井の漏水を早期に検知して速やかに対処できるようにしたものである。
【背景技術】
【０００２】
建物の屋上、または浴室などの水を多く使用する階の床について、防水層を剥がして改修工事を実施する場合、直下階の天井に漏水を引き起こす恐れがある。この種の漏水は、特に直下階に配電設備や電話交換機器などが設置された部屋があると致命的な障害をもたらすおそれがあるため、早期に発見して速やかに対処する必要がある。
【０００３】
従来、この種の改修工事を実施するには、事前に直下階の天井の下側にビニールシート等を張って漏水養生を行い、工事期間中、作業員が定期的に見回り、目視によって漏水の有無を監視している。
【先行技術文献】
【特許文献】
【０００４】
【特許文献１】特開平0７-１５１６３１号公報
【特許文献２】特開２０１２−１５４７０６号公報
【発明の概要】
【発明が解決しようとする課題】
【０００５】
しかし、直下階がいくつもの部屋に仕切られている場合、漏水養生は部屋ごとに行い、さらにひとつの部屋が非常に大きい場合は、いくつにも仕切って行うため、監視に多大な労力を必要とするだけでなく漏水個所を見落とすおそれがあった。
【０００６】
本発明は、以上の課題を解決するためになされたもので、天井の漏水を早期に発見して速やかに対処できるようにした天井の漏水検知装置を提供することを目的とするものである。
【課題を解決するための手段】
【０００７】
本発明は、天井スラブの下側に下方に膨出して設置された漏水養生シートと、当該漏水養生シートの底部に接続され、漏水養生シート上の漏水を排水する排水管と、当該排水管内に設置され、排水管内を流れる漏水を検知する漏水センサーと、前記漏水センサーに接続され、当該漏水センサーを介して天井の漏水の有無を検知する漏水検知器と、前記漏水センサーおよび前記漏水検知器を監視する監視装置とを備え、かつ天井の漏水を常時監視し、漏水が発生したときは、無線中継機によって管理センターまたは現地担当監視者の携帯電話にメールまたは音声にて知らしめるように構成されていることを特徴とするものである。
【０００８】
漏水センサーは、非接触状態に近接して並設された一対の芯線を絶縁性のメッシュ状被覆材で一体的に被覆する等して形成されており、被覆材がメッシュ状をしていることで、２本の芯線が漏水に触れて電気の回路を形成することで漏水センサーとなる。
【０００９】
また、漏水センサーは複数にランダムに折り曲げ、排水パイプの上端部内に一定長にわたって設置することにより、排水パイプ内を流れる漏水が芯線に触れやすくなり、センサーの感度を高めることができる。また、排水パイプの上端部に排水パイプの内周に沿ってスパイラル状に巻いて設置しても漏水に振れやすくなって感度を高めることができる。
【発明の効果】
【００１０】
本発明は、天井の漏水をその下側に設置されたビニールシート等からなる漏水養生シートで受け、これを漏水養生シートの底部に接続された排水パイプの中に設置された漏水センサーで検知することにより、天井の漏水を早期に発見することができ、漏水に速やかに対処することができる。
【００１１】
また、漏水センサーは、非接触状態に近接して並設された一対の導電性の芯線を絶縁性のメッシュ状被覆材で一体的に被覆して形成された線材を利用し、これを排水パイプの中に複数にランダムに折り曲げて設置することにより、漏水センサーの製作と設置をきわめて容易に行うことができる。
【００１２】
さらに、当該漏水センサーを排水パイプの中に複数にランダムに折り曲げる等して設置することにより、芯線の裸部分が漏水と接触しやすくなって漏水センサーの感度を高めることができる。
【図面の簡単な説明】
【００１３】
【図１】本発明の一実施形態を図示したものであり、図1(a)は居室の天井下に設置された天井の漏水検知装置の説明図、図1(b)は漏水センサーの一例を示す斜視図である。
【発明を実施するための形態】
【００１４】
図１(a),(b)は、本発明の一実施形態を図示したものであり、図において、符号１は天井スラブ２の下側に設置され、天井の漏水を受ける漏水養生シートである。
【００１５】
漏水養生シート１は、透明なビニールシート等の樹脂製のシートから形成され、天井スラブ２の下側に天井の全面を覆うように設置されている。また、漏水養生シート１は、下方にロート状に膨出して設置され、底部に排水孔1aが形成されている。また、天井の面積がかなり広い場合は格子状に複数に仕切って設置され、各シート１の底部に排水孔1aが形成されている。
【００１６】
符号３は、口径が50ｍｍ程度の透明なアクリルパイプ等からなる硬質樹脂製の排水管であり、上端部に後述する漏水センサー４が設置されている。また、排水管３は床に設置された漏水養生受け５に立設され、上端部は漏水養生シート１の排水孔1aに接続されている。
【００１７】
なお、漏水養生受け５は、排水管３を自立させる支持台と漏水を一次的に溜め置くためのタンクになっている。
【００１８】
漏水センサー４は排水管３の中に設置され、天井から漏水養生シート１内に流れ落ちた漏水を検知するセンサーであり、２本の導電性芯線4a,4aをメッシ状の絶縁性被覆材4bによって一体的に被覆することにより形成されている(図1(b)参照)。
【００１９】
なお、芯線4aには0.3ｍｍ×1.5ｍｍ角程度のステンレス製の平角線などが使用され、２本の芯線4a,4aは接触しない程度に互いに近接した状態で材軸方向に並設され、その外周がメッシュ状の絶縁性被覆材4bによって一体的に被覆されている。
【００２０】
これにより各芯線4aは網目状に被覆され、網目部分は露出して通電可能になっている。そして、天井から流れ落ちた漏水が漏水センサー４の２本の芯線4a,4aの裸部分に触れて２本の芯線4a,4a間に電流の回路が形成されることで、漏水が検知される。
【００２１】
なお、メッシュ状の絶縁性被覆材4bは白色ホリエステル線または白色ポビニルアルコール線などの樹脂材から形成されている。
【００２２】
このように形成された漏水センサー４は、複数にランダムに折り曲げられて排水管３の上端部に一定長にわたって挿入されているか、あるいは図1(b)に図示するように排水管３の内周に一定長に渡ってスパイラル状に添え付けて設置されている。
【００２３】
符号６は、信号ケーブ７を介して漏水センサー４に接続され、漏水センサー４を介して天井の漏水の有無を検知する漏水検知器である。また、符号８は、漏水センサー４と漏水検知器６を監視する監視装置、そして、符号９は漏水検知器６、監視装置７および無線中継機11に電力を供給するバッテリーである。
【００２４】
このような構成において、天井から漏水養生シート１の上に流れ落ちた漏水が排水孔1aを通って排水パイプ３内に流れ込み、漏水センサー４に触れると、２本の芯線4a,4a間に電流の回路が形成され、これを漏水検知器６が信号ケーブル７を介して検知することにより、天井の漏水の発生を検知することができる。
【００２５】
なお、天井の漏水を常時監視し、漏水が発生したときは無線中継機11によって直ちに管理センターまたは現地担当監視者の携帯電話等にメールや警告音などの音声で知らしめるようにして漏水の遠隔管理を行えるようにすることもできる。
【００２６】
また、漏水検知器６、監視装置８、バッテリー９および無線中継機11は、漏水センサー４を最大12機搭載してユニット化し、複数の機器をひとつのケース10内に設置してユニット化して持運び可能にすることで利便性を高めることができる。
【産業上の利用可能性】
【００２７】
本発明の天井の漏水検知装置は、居室天井の漏水を早期に発見して速やかに対処することができる。
【符号の説明】
【００２８】
１  漏水養生シート
２  天井スラブ
３  排水パイプ
４  漏水センサー
4a  芯線
4b  絶縁性被覆材
５  漏水養生受け
６  漏水検知器
７  信号ケーブ
８  監視装置
９  バッテリー
10  ケース
11  無線中継機
【図１】
0006336509.tif 000002